(57)【要約】【課題】スイッチ受け部材が仮止めされるタッチセンサモジュールにおいて、操作感触の悪化を防止すること。【解決手段】上下方向に移動可能に支持された操作部材４と、操作部材４への物体の近接を検出するタッチセンサ３と、操作部材４の下面に取り付けられ操作部材４が下方向に移動したときにクリック感触を発生させながら反力を発生させるとともに操作部材４の下方向への移動を検出するタクティールスイッチ６と、取付対象に取り付けるための取付部を有するとともにタクティールスイッチ６に当接してタクティールスイッチ６を駆動するスイッチ受け部材７と、スイッチ受け部材７をタクティールスイッチ６の下側に仮止めする仮止手段を備え、仮止手段は、一端部８ａから中心部８ｂを介して他端部８ｃに向かって水平方向に延設される可撓性部材８を含み、可撓性部材８の中心部８ｂにスイッチ受け部材７を取り付け、一端部８ａおよび他端部８ｃは上下方向における中心部８ｂの位置Ｔ１よりも上側の位置Ｔ２で操作部材４に取り付けられるようにした。【選択図】図７
2015198067.tif 000002
【特許請求の範囲】
【請求項１】
上下方向に移動可能に支持された操作部材と、
前記操作部材への物体の近接を検出するタッチセンサと、
前記操作部材の下面に取り付けられ前記操作部材が下方向に移動したときにクリック感触を発生させながら反力を発生させるとともに前記操作部材の下方向への移動を検出するタクティールスイッチと、
取付対象に取り付けるための取付部を有するとともに前記タクティールスイッチに当接して前記タクティールスイッチを駆動するスイッチ受け部材と、
前記スイッチ受け部材を前記タクティールスイッチの下側に仮止めする仮止手段とを備えたタッチセンサモジュールであって、
前記仮止手段は、一端部から中心部を介して他端部に向かって水平方向に延設される可撓性部材を含み、
前記可撓性部材の中心部に前記スイッチ受け部材を取り付け、前記一端部および前記他端部は上下方向における前記中心部の位置よりも上側の位置で前記操作部材に取り付けられたことを特徴とするタッチセンサモジュール。
【請求項２】
前記可撓性部材の前記一端および前記他端のそれぞれの上面を前記操作部材の下面に粘着材料を介して直接取り付けたことを特徴とする請求項１記載のタッチセンサモジュール。
【請求項３】
前記可撓性部材は、透明部材であることを特徴とする請求項１記載のタッチセンサモジュール。
【発明の詳細な説明】
【技術分野】
【０００１】
本発明は、ノートＰＣ等に搭載されるタッチセンサモジュールに関するものである。
【背景技術】
【０００２】
特許文献１に、操作部材（操作板）と、タッチセンサ（検出基板）と、タクティールスイッチ（プッシュスイッチ）と、スイッチ受け部材と、スイッチ受け部材を仮止めする仮止手段を備えたタッチセンサモジュールが開示されている。仮止手段は、一端部から中心部を介して他端部に向かって水平方向に延設される可撓性部材（板バネ部材）を備え、可撓性部材（板バネ部材）の中心部にスイッチ受け部材が取り付けられている。これによれば、タッチセンサモジュールの製造業者がスイッチ受け部材を用意して取り付けることができ、品質管理上都合がよい。
【０００３】
ところで、特許文献１のタッチセンサモジュールの可撓性部材（板バネ部材）は、一端部および他端部は上下方向において中心部の位置と同じ位置でスペーサに取り付けられている。このため、操作部材を押し込むと、可撓性部材は横方向に引っ張られ、操作部材に対して大きな反力が発生し、操作感触が悪化する、という問題があった。
【先行技術文献】
【特許文献】
【０００４】
【特許文献１】実用新案登録第３１８７１４４号公報
【発明の概要】
【発明が解決しようとする課題】
【０００５】
本発明は、上述した問題を解決して、スイッチ受け部材が仮止めされるタッチセンサモジュールにおいて、操作感触の悪化を防止することを目的とする。
【課題を解決するための手段】
【０００６】
請求項１に記載のタッチセンサモジュールにおいては、上下方向に移動可能に支持された操作部材と、前記操作部材への物体の近接を検出するタッチセンサと、前記操作部材の下面に取り付けられ前記操作部材が下方向に移動したときにクリック感触を発生させながら反力を発生させるとともに前記操作部材の下方向への移動を検出するタクティールスイッチと、取付対象に取り付けるための取付部を有するとともに前記タクティールスイッチに当接して前記タクティールスイッチを駆動するスイッチ受け部材と、前記スイッチ受け部材を前記タクティールスイッチの下側に仮止めする仮止手段とを備えたタッチセンサモジュールであって、前記仮止手段は、一端部から中心部を介して他端部に向かって水平方向に延設される可撓性部材を含み、前記可撓性部材の中心部に前記スイッチ受け部材を取り付け、前記一端部および前記他端部は上下方向における前記中心部の位置よりも上側の位置で前記操作部材に取り付けられた、という特徴を有する。
【０００７】
請求項１のタッチセンサモジュールによれば、操作部材を押し込んでも、可撓性部材は横方向に引っ張られることがなく、操作部材に対して大きな反力が発生することがなく、操作感触の悪化を防止することができる。
【０００８】
請求項２に記載のタッチセンサモジュールにおいては、前記可撓性部材の前記一端および前記他端のそれぞれの上面を前記操作部材の下面に粘着材料を介して直接取り付けた、という特徴を有する。
【０００９】
請求項２のタッチセンサモジュールによれば、スペーサ等が不要となり、部品点数を削減することができる。
【００１０】
請求項３に記載のタッチセンサモジュールにおいては、前記可撓性部材は、透明部材である、という特徴を有する。
【００１１】
請求項３の揺動型スイッチによれば、スイッチ受け部材の位置を確認しながら取り付けることができる。
【発明の効果】
【００１２】
本発明によれば、操作部材を押し込んでも、可撓性部材は横方向に引っ張られることがなく、操作部材に対して大きな反力が発生することがなく、操作感触の悪化を防止することができる。
【図面の簡単な説明】
【００１３】
【図１】タッチセンサモジュール１がノートＰＣに搭載された状態を示す図である。
【図２】タッチセンサモジュール１の斜視図である。
【図３】タッチセンサモジュール１の分解斜視図である。
【図４】タッチセンサモジュール１の上面図である。
【図５】タッチセンサモジュール１のＡ−Ａ断面図である。
【図６】タッチセンサモジュール１のＢ−Ｂ断面図である。
【図７】タッチセンサモジュール１がプッシュ操作された状態を示す図である。
【発明を実施するための形態】
【００１４】
図１から図６を用いて本実施形態のタッチセンサモジュール１の構造を説明する。タッチセンサモジュール１は、図１に示すように、例えばノートＰＣの筐体２０に形成された開口部２０ａに取り付けられる。
【００１５】
タッチセンサモジュール１は、図２〜図７に示すように、タッチセンサ３を備えている。タッチセンサ３は、プリント基板およびプリント基板上に実装され指等の近接による静電容量の変化を検出する検出電極等から構成される。タッチセンサ３の裏面には、図示しないが、検出電極に接続されたセンサＩＣが実装されており、指等の近接位置を演算し外部に出力するようになっている。タッチセンサ３の上側には表面板２が貼り付けられており、タッチセンサ３と表面板２で操作部材４が構成される。
【００１６】
操作部材４の奥側下面には発泡樹脂等からなる弾性部材５が取り付けられており、弾性部材５は開口部２０ａの底板部２０ｂに取り付けられており、図５に示すように、操作部材４は弾性部材５を支点として揺動および上下動可能に支持されている。
【００１７】
操作部材４の手前側下面には、タクティールスイッチ６が取り付けられている。タクティールスイッチ６は、操作部材４のプッシュ操作に対して反力を発生させるものであり、その反力はプッシュ操作の初期は大きく、操作部材４がある程度押し込まれたときに急激に反力が小さくなるものであり、プッシュ操作に対してクリック感触を与えている。また、タクティールスイッチ６は内部に固定接点と可動接点を有しており、操作部材４のプッシュ操作を検出するようになっている。
【００１８】
タクティールスイッチ６の下側にはステンレス等の硬い材料からなるスイッチ受け部材７が配置されており、タクティールスイッチ６は下側に変位したときにこのスイッチ受け部材７により駆動される。
【００１９】
スイッチ受け部材７の下側には透明樹脂材料からなる可撓性部材８が配置されている。可撓性部材８は、一端部８ａから中心部８ｂを介して他端部８ｃに向かって水平方向に延設されており、中心部８ｂの上側にスイッチ受け部材７が取り付けられ、一端部８ａおよび他端部８ｃの上側が粘着材料を介して操作部材４の下面に取り付けられている。この可撓性部材８が、スイッチ受け部材７を操作部材４に対して仮止めする仮止手段となっている。ここで、図６に示すように、可撓性部材８の一端部８ａと他端部８ｃは、中心部８ｂの上下方向における位置Ｔ１よりも上側の位置Ｔ２で操作部材４に取り付けられている。可撓性部材８は、例えば手作業で操作部材４の下面に取り付けられるが、可撓性部材８が透明になっていると、位置を確認しながら取り付けることができる。
【００２０】
スイッチ受け部材７は、図６に示すように、ネジ孔７ａ、７ｂが形成されており、底板部２０ｂの裏側から差し込まれたネジ９ａ、９ｂにより底板部２０ｂに固定される。
【００２１】
次に図７を用いてタッチセンサモジュール１の動作を説明する。操作者が指で操作部材４のプッシュ操作を行なうと、操作部材４は下側に変位する。操作部材４の下側への変位にともなってタクティールスイッチ６はスイッチ受け部材７に圧接し駆動される。このとき、可撓性部材８の一端部８ａと中心部８ｂとの間の中間部８ｘ、および中心部８ｂと他端部８ｃとの中間部８ｙは、圧縮されて撓む。もし中間部８ｘと中間部８ｙが従来技術のように引っ張られるようになっていると大きな反力が発生して感触が悪化する。しかし、中間部８ｘと中間部８ｙは圧縮されて撓むだけなので、ほとんど反力を発生せず、タクティールスイッチ６の切れ味のよいクリック感が損なわれず、感触の悪化を防止することができる。なお、可撓性部材８の材料としては、圧縮されたときに容易に撓むような材料を選定することは言うまでもない。
【００２２】
このように、本実施形態のタッチセンサモジュール１は、上下方向に移動可能に支持された操作部材４と、操作部材４への物体の近接を検出するタッチセンサ３と、操作部材４の下面に取り付けられ操作部材４が下方向に移動したときにクリック感触を発生させながら反力を発生させるとともに操作部材４の下方向への移動を検出するタクティールスイッチ６と、取付対象に取り付けるための取付部を有するとともにタクティールスイッチ６に当接してタクティールスイッチ６を駆動するスイッチ受け部材７と、スイッチ受け部材７をタクティールスイッチ６の下側に仮止めする仮止手段を備え、仮止手段は、一端部８ａから中心部８ｂを介して他端部８ｃに向かって水平方向に延設される可撓性部材８を含み、可撓性部材８の中心部８ｂにスイッチ受け部材７を取り付け、一端部８ａおよび他端部８ｃは上下方向における中心部８ｂの位置Ｔ１よりも上側の位置Ｔ２で操作部材４に取り付けられるようにした。これによれば、操作部材４を押し込んでも、可撓性部材８は横方向に引っ張られることがなく、操作部材４に対して大きな反力が発生することがなく、操作感触の悪化を防止することができる。
【００２３】
また、本実施形態のタッチセンサモジュール１は、可撓性部材８の一端部８ａおよび他端部８ｃのそれぞれの上面を操作部材４の下面に粘着材料を介して直接取り付けるようにした。これによれば、スペーサ等が不要となり、部品点数を削減することができる。
【００２４】
また、本実施形態のタッチセンサモジュール１は、可撓性部材８は、透明部材にした。これによれば、スイッチ受け部材７の位置を確認しながら取り付けることができる。
【００２５】
なお、本発明は上述した実施形態に限定されるものではなく、本発明の主旨を逸脱しない範囲で種々の変形を加えて実施することができるのは言うまでもない。
【符号の説明】
【００２６】
１    タッチセンサモジュール
２    表面板
３    タッチセンサ
４    操作部材
５    弾性部材
６    タクティールスイッチ
７    スイッチ受け部材
７ａ  ネジ孔
７ｂ  ネジ孔
８    可撓性部材
８ａ  一端部
８ｂ  中心部
８ｃ  他端部
８ｘ  中間部
８ｙ  中間部
９ａ  ネジ
９ｂ  ネジ
２０    筐体
２０ａ  開口
２０ｂ  底板部
Ｔ１    位置
Ｔ２    位置
【図１】
2015198067.tif 000003
【図２】
2015198067.tif 000004
【図３】
2015198067.tif 000005
【図４】
2015198067.tif 000006
【図５】
2015198067.tif 000007
【図６】
2015198067.tif 000008
【図７】
2015198067.tif 000009